(57)【要約】【課題】プロジェクタ装置と投影面との位置関係に拘わらず、画質が良好な画像合成を行う。【解決手段】カメラ部１０３は投影面に入力画像に応じた投影画像が投影された状態で投影面を撮影して第１の撮影画像を得るとともに、投影面に投影画像が投影されない状態で投影面を撮影して第２の撮影画像を得る。画像処理部１１０は第１および第２の撮影画像からそれぞれ投影面を認識して当該投影面を第１および第２の投影面画像として切り出し、台形補正部１０９は入力画像の形状を第１の投影面画像に存在する投影画像の形状に補正して補正後入力画像とし、画像処理部は第２の投影面画像と補正後入力画像とを画像合成して合成画像とする。【選択図】図２
2014163979.tif 000002
【特許請求の範囲】
【請求項１】
入力画像に応じた投影画像を所定の投影面に投影するプロジェクタ装置であって、
前記投影面に前記投影画像が投影された状態で前記投影面を撮影して第１の撮影画像を得る第１の撮影手段と、
前記投影面に前記投影画像が投影されない状態で前記投影面を撮影して第２の撮影画像を得る第２の撮影手段と、
前記第１の撮影画像および前記第２の撮影画像からそれぞれ前記投影面を認識して当該投影面を第１の投影面画像および第２の投影面画像として切り出す切り出し手段と、
前記入力画像の形状を前記第１の投影面画像に存在する前記投影画像の形状に補正して補正後入力画像とする形状補正手段と、
前記第２の投影面画像と前記補正後入力画像とを画像合成して合成画像とする画像合成手段と、
を有することを特徴とするプロジェクタ装置。
【請求項２】
前記形状補正手段は、前記第１の投影面画像および前記第２の投影面画像の形状をそれぞれ所定の形状に補正し、当該形状が補正された第１の投影面画像に存在する前記投影画像の形状に前記入力画像の形状を補正することを特徴とする請求項１に記載のプロジェクタ装置。
【請求項３】
前記画像合成手段は、前記所定の形状に補正された第２の投影面画像と前記補正後入力画像とを合成することを特徴とする請求項２に記載のプロジェクタ装置。
【請求項４】
前記所定の形状は長方形であることを特徴とする請求項２又は３に記載のプロジェクタ装置。
【請求項５】
前記切り出し手段は、前記投影面に予め設けられたマーカーに応じて前記投影面を認識することを特徴とする請求項１〜４のいずれか１項に記載のプロジェクタ装置。
【請求項６】
前記切り出し手段は、前記第１の撮影画像おび前記第２の撮影画像の各々において前記投影面の色に応じて前記投影面を認識することを特徴とする請求項１〜４のいずれか１項に記載のプロジェクタ装置。
【請求項７】
前記画像合成手段は、前記第２の投影面画像において所定の色の部分を透過色として前記画像合成を行うことを特徴とする請求項１〜６のいずれか１項に記載のプロジェクタ装置。
【請求項８】
前記投影面に板書が行われている際には、前記第２の投影面画像において前記板書と当該板書を除く領域とのコントラストを異ならせるコントラスト調整手段を有することを特徴とする請求項１〜７のいずれか１項に記載のプロジェクタ装置。
【請求項９】
前記投影面に板書が行われている際には、前記第２の投影面画像において前記板書の輪郭に予め定められた色で縁取りを行う縁取り手段を有することを特徴とする請求項１〜７のいずれか１項に記載のプロジェクタ装置。
【請求項１０】
入力画像に応じた投影画像を所定の投影面に投影する投影手段と、前記投影面を撮影する撮影手段とを有するプロジェクタ装置の制御方法であって、
前記撮影手段によって前記投影面に前記投影画像が投影された状態で前記投影面を撮影して第１の撮影画像を得る第１の撮影ステップと、
前記撮影手段によって前記投影面に前記投影画像が投影されない状態で前記投影面を撮影して第２の撮影画像を得る第２の撮影ステップと、
前記第１の撮影画像および前記第２の撮影画像からそれぞれ前記投影面を認識して当該投影面を第１の投影面画像および第２の投影面画像として切り出す切り出しステップと、
前記入力画像の形状を前記第１の投影面画像に存在する前記投影画像の形状に補正して補正後入力画像とする形状補正ステップと、
前記第２の投影面画像と前記補正後入力画像とを画像合成して合成画像とする画像合成ステップと、
を有することを特徴とする制御方法。
【請求項１１】
入力画像に応じた投影画像を所定の投影面に投影する投影手段と、前記投影面を撮影する撮影手段とを有するプロジェクタ装置で用いられる制御プログラムであって、
前記プロジェクタ装置が備えるコンピュータに、
前記撮影手段によって前記投影面に前記投影画像が投影された状態で前記投影面を撮影して第１の撮影画像を得る第１の撮影ステップと、
前記撮影手段によって前記投影面に前記投影画像が投影されない状態で前記投影面を撮影して第２の撮影画像を得る第２の撮影ステップと、
前記第１の撮影画像および前記第２の撮影画像からそれぞれ前記投影面を認識して当該投影面を第１の投影面画像および第２の投影面画像として切り出す切り出しステップと、
前記入力画像の形状を前記第１の投影面画像に存在する前記投影画像の形状に補正して補正後入力画像とする形状補正ステップと、
前記第２の投影面画像と前記補正後入力画像とを画像合成して合成画像とする画像合成ステップと、
を実行させることを特徴とする制御プログラム。
【発明の詳細な説明】
【技術分野】
【０００１】
本発明は、映像を投影するためのプロジェクタ装置、その制御方法、および制御プログラムに関し、特に、ホワイトボードなどの投影面に投影された映像（投影画像）と当該投影面に板書された文字および図形などを撮影して保存するプロジェクタ装置に関する。
【背景技術】
【０００２】
一般に、会議などを行う際、プロジェクタ装置を用いて資料などの映像（以下投影画像ともいう）をホワイトボードなどの投影面に投影することが行われている。この際、投影画像が投影されたホワイトボード上に投影画像の説明などをペンで板書することがある。そして、投影された投影画像と板書とを同時に保存するためには、例えば、デジタルカメラなどの撮像装置を用いてホワイトボードの全景を撮影するなどする必要がある。
【０００３】
ところが、ホワイトボードの全景を撮影した際には、不可避的にホワイトボード以外の会議室の備品が撮影されることがある。さらには、プロジェクタ装置からの投影光がホワイトボードに反射して板書などを綺麗に撮影できないこともある。また、明るい部屋で撮影すると、投影画像のコントラストが低くなってしまうこともあって、画質を良好にして投影画像および板書を保存することができないことがある。
【０００４】
画質を良好にして投影画像および板書を保存するため、例えば、プロジェクタ装置と板書するためのスクリーン（投影面）とを一体化するようにしたものがある（特許文献１参照）。
【０００５】
特許文献１では、板書するためのホワイトボードに該当する箇所がスクリーンになっており、スクリーンの背面側からプロジェクタ装置でスクリーンに画像を投影するようにしている。さらに、スクリーンの背面側にカメラが搭載され、撮影の際には画像投影を一旦停止して板書した文字などをスクリーンの背面側から撮影して撮影画像を得る。そして、投影画像と撮影画像とを合成してスクリーンに板書された文字などとプロジェクタ装置で投影された投影画像と保存する。
【先行技術文献】
【特許文献】
【０００６】
【特許文献１】特開２００３−１４３３４８号公報
【発明の概要】
【発明が解決しようとする課題】
【０００７】
ところが、特許文献１に記載の手法では、画質を良好にして画像合成を行うためには、スクリーンとプロジェクタ装置との位置関係を所定の関係に固定的に配置する必要があり、スクリーンとプロジェクタ装置とを離して用いることができない。
【０００８】
つまり、特許文献１に記載の手法では、画質を良好にして画像合成を行うためには、スクリーンとプロジェクタ装置の位置関係を固定する必要があり、スクリーンおよびプロジェクタ装置の配置を自由に行うことができない。
【０００９】
従って、本発明の目的は、画質を良好にして画像合成が行えて、しかもホワイトボード又はスクリーンなどの投影面との位置関係を自由に設定することができるプロジェクタ装置、その制御方法、および制御プログラムを提供することにある。
【課題を解決するための手段】
【００１０】
上記の目的を達成するため、本発明によるプロジェクタ装置は、入力画像に応じた投影画像を所定の投影面に投影するプロジェクタ装置であって、前記投影面に前記投影画像が投影された状態で前記投影面を撮影して第１の撮影画像を得る第１の撮影手段と、前記投影面に前記投影画像が投影されない状態で前記投影面を撮影して第２の撮影画像を得る第２の撮影手段と、前記第１の撮影画像および前記第２の撮影画像からそれぞれ前記投影面を認識して当該投影面を第１の投影面画像および第２の投影面画像として切り出す切り出し手段と、前記入力画像の形状を前記第１の投影面画像に存在する前記投影画像の形状に補正して補正後入力画像とする形状補正手段と、前記第２の投影面画像と前記補正後入力画像とを画像合成して合成画像とする画像合成手段と、を有することを特徴とする。
【００１１】
本発明による制御方法は、入力画像に応じた投影画像を所定の投影面に投影する投影手段と、前記投影面を撮影する撮影手段とを有するプロジェクタ装置の制御方法であって、前記撮影手段によって前記投影面に前記投影画像が投影された状態で前記投影面を撮影して第１の撮影画像を得る第１の撮影ステップと、前記撮影手段によって前記投影面に前記投影画像が投影されない状態で前記投影面を撮影して第２の撮影画像を得る第２の撮影ステップと、前記第１の撮影画像および前記第２の撮影画像からそれぞれ前記投影面を認識して当該投影面を第１の投影面画像および第２の投影面画像として切り出す切り出しステップと、前記入力画像の形状を前記第１の投影面画像に存在する前記投影画像の形状に補正して補正後入力画像とする形状補正ステップと、前記第２の投影面画像と前記補正後入力画像とを画像合成して合成画像とする画像合成ステップと、を有することを特徴とする。
【００１２】
本発明による制御プログラムは、入力画像に応じた投影画像を所定の投影面に投影する投影手段と、前記投影面を撮影する撮影手段とを有するプロジェクタ装置で用いられる制御プログラムであって、前記プロジェクタ装置が備えるコンピュータに、前記撮影手段によって前記投影面に前記投影画像が投影された状態で前記投影面を撮影して第１の撮影画像を得る第１の撮影ステップと、前記撮影手段によって前記投影面に前記投影画像が投影されない状態で前記投影面を撮影して第２の撮影画像を得る第２の撮影ステップと、前記第１の撮影画像および前記第２の撮影画像からそれぞれ前記投影面を認識して当該投影面を第１の投影面画像および第２の投影面画像として切り出す切り出しステップと、前記入力画像の形状を前記第１の投影面画像に存在する前記投影画像の形状に補正して補正後入力画像とする形状補正ステップと、前記第２の投影面画像と前記補正後入力画像とを画像合成して合成画像とする画像合成ステップと、を実行させることを特徴とする。
【発明の効果】
【００１３】
本発明によれば、投影面に投影画像が投影された状態で投影面を撮影して得られた第１の撮影画像と投影面に投影画像が投影されない状態で投影面を撮影して得られた第２の撮影画像とからそれぞれ投影面を第１の投影面画像および第２の投影面画像として切り出し、入力画像の形状を第１の投影面画像に存在する投影画像の形状に補正した後、第２の投影面画像と補正後入力画像とを画像合成して合成画像とするようにしたので、投影面とプロジェクタ装置との位置関係に拘わらず、画質が良好な合成画像を得ることができる。
【図面の簡単な説明】
【００１４】
【図１】本発明の実施の形態によるプロジェクタ装置の外観を示す斜視図である。
【図２】図１に示すプロジェクタ装置のハードウェア構成の一例を示すブロック図である。
【図３】図２に示すプロジェクタ装置で行われる画像合成を説明するためのフローチャートである。
【図４】図２に示すプロジェクタ装置で行われる画像合成の手順を示す図である。
【図５】図２に示す台形補正部で行われる台形補正を説明するための図である。
【発明を実施するための形態】
【００１５】
以下、本発明の実施の形態によるプロジェクタ装置の一例について図面を参照して説明する。
【００１６】
図１は、本発明の実施の形態によるプロジェクタ装置の外観を示す斜視図である。
【００１７】
図１において、プロジェクタ装置１００はプロジェクタ筐体２００を有し、プロジェクタ筐体２００の表面（図中上面）にはユーザによって操作される操作ボタン類２０１が配置されている。この操作ボタン類２０１には電源をオン／オフするための電源ボタンおよびフォーカス調整のための調整ボタンなどがある。
【００１８】
プロジェクタ筐体２００の前面にはカメラ開口部２０２が形成されるとともに、画像投影を行うための投影開口部２０３が形成されている。そして、後述するようにカメラ開口部２０２に対応付けてプロジェクタ筐体２００内にはカメラ部のレンズが配置され、投影開口部２０３に対応付けて映像投影部のレンズが配置される。なお、図示のプロジェクタ装置１００はケーブル２０４によって、例えば、パーソナルコンピュータ（ＰＣ：図示せず）に接続される。
【００１９】
図２は、図１に示すプロジェクタ装置１００のハードウェア構成の一例を示すブロック図である。以下、図面を参照しながら本発明適用したプロジェクタについて説明する。
【００２０】
プロジェクタ装置１００は操作部１０１を有しており、操作部１０１は、前述の操作ボタン類２０１によるユーザの操作を受け付ける。映像投影部１０２はプロジェクタ装置１００外部に配置されたホワイトボードなどの投影面に映像（入力画像）に応じた投影画像を投影する。カメラ部１０３は投影画像およびホワイトボードにユーザが描画した板書文字などを撮影する。
【００２１】
投影画像管理部１０４は外部装置（例えば、ＰＣ）から入力された映像信号（つまり、入力画像）に応じて投影するための画像（投影画像）を生成する。外部通信部１０５は、ＰＣなどの外部装置と通信を行う。演算部（ＣＰＵ）１０６はプログラムに基づいてプロジェクタ装置１００全体の制御を行う。１次記憶メモリ（ＲＡＭ）１０７は、画像合成処理など処理において一時的にワークエリアとして利用される。記憶メモリ（ＲＯＭ）１０８にはプロジェクタ装置を制御するためのプログラムが格納されている。
【００２２】
台形補正部１０９は、後述するようにして、例えば、台形状のホワイトボード画像（投影面画像）を所定の形状（例えば、長方形）に補正するとともに、投影画像管理部１０４が保持する入力画像（ＰＣなどから受けた画像）を合成する際に、当該入力画像を、例えば、台形状に補正する。画像処理部１１０はカメラ部１０３による撮影の結果得られた画像（撮影画像）からホワイトボード領域（つまり、投影面）を認識して、後述するようにして、投影画像管理部１０４が保持する入力画像とホワイトボード画像（つまり、ホワイトボード領域）とを合成する。
【００２３】
図３は、図２に示すプロジェクタ装置１００で行われる画像合成を説明するためのフローチャートである。なお、以下の説明では、プロジェクタ装置１００を用いてホワイトボードに投影画像を投影しつつ打ち合わせが行われ、ホワイトボードには投影画像にその一部が重なるか又は若干離れて板書がされるものとする。
【００２４】
ユーザはホワイトボード上の投影画像と板書とを合成して合成画像として保存する際には、操作ボタン類２０１を操作して合成開始処理の開始を操作部１０１に通知する。これによって、ＣＰＵ１０６は合成処理開始を受け付ける（ステップＳ３００）。合成処理開始を受け付けると、ＣＰＵ１０６はカメラ部１０３を制御して１回目の撮影を行って、ホワイトボードを撮影する（ステップＳ３０１）。
【００２５】
このように、一回目の撮影では、ホワイトボードに入力画像に応じた投影画像が投影された状態で撮影が行われる。
【００２６】
図４は、図２に示すプロジェクタ装置１００で行われる画像合成の手順を示す図である。
【００２７】
ステップＳ３０１において、カメラ部１０３によってホワイトボードを撮影すると、撮影画像４０３（第１の撮影画像）が得られる。撮影画像４０３には、画像としてホワイトボード（つまり、投影面画像）４００、板書（板書画像）４０１、および投影画像４０２が存在する。そして、この撮影画像４０３にはホワイトボードの足などホワイトボード領域以外の部分も撮影されている。ここで、ホワイトボード領域とはホワイトボード４００において、投影画像が投影され、さらに板書４０２が行われる領域をいう。
【００２８】
なお、図４に示すように、ここでは、プロジェクタ装置１００、つまり、カメラ部１０３はホワイトボード領域の正面に位置しておらず、ホワイトボード領域を斜め方向から撮影している。
【００２９】
次に、ＣＰＵ１０６の制御下で、台形補正部１０９および画像処理部１１０は撮影画像４０３の補正を行う。ここでは、まず、画像処理部１１０は撮影画像４０３においてホワイトボード領域を認識して当該ホワイトボード領域（投影面）を撮影画像４０３から切り出す。前述のように、カメラ部１０３はホワイトボード４００を斜め方向から撮影しているので、撮影画像４０３においては、ホワイトボード領域は台形状となっている。このため、台形補正部１０９はホワイトボード領域を台形補正して長方形状（四角）の投影面画像４１０（第１の投影面画像）を得る（ステップＳ３０２）。なお、台形補正については後述する。
【００３０】
ホワイトボード領域を認識する際には、画像処理部１１０は、例えば、撮影画像４０３においてホワイトボードの白色とその他の部分との間のコントラスト比の相違を用いて白い四角領域を抽出して、当該四角領域をホワイトボード領域（投影面）として認識する。
【００３１】
または、予めホワイトボード領域の四隅に画像処理部１１０が認識可能なマーカーを設けておき、画像処理部１１０は撮影画像４０３から当該マーカーを検出し、マーカーで囲まれた領域をホワイトボード領域（投影面）として認識するようにしてもよい。
【００３２】
台形補正後の投影面画像４１０（第１の投影面画像）において、板書（板書画像）４１１は板書（板書画像）４０１と比べると台形補正によって変形している。また、投影画像４１２も投影画像４０２と比べると台形補正によって変形している。ここでは、台形補正後の投影面画像４１０を基準画像とし、以後の処理で使用する。
【００３３】
続いて、ＣＰＵ１０６は映像投影部１０２を制御して投影画像の投影を停止する。そして、ＣＰＵ１０６はカメラ部１０３を制御して２回目の撮影を行う（ステップＳ３０３）。この２回目の撮影によって、撮影画像４２２（第２の撮影画像）が得られる。撮影画像４２２には、画像としてホワイトボード４２０および板書４２１が存在する。
【００３４】
２回目の撮影では、投影画像の投影を停止した状態で撮影が行われるので、撮影画像４２２には投影画像は存在しない。また、１回目の撮影と２回目の撮影との間にプロジェクタ装置１００とホワイトボードとの位置関係が変わることもあるので、この場合には、撮影画像４００と撮影画像４２０において、ホワイトボードの位置関係が若干異なることもある。
【００３５】
次に、ステップＳ３０２の処理と同様にして、画像処理部１１０は撮影画像４２２からホワイトボード領域（投影面）を切り出し、台形補正部１０９はホワイトボード領域（投影面）に対して台形補正を行って、台形補正後の投影面画像４３０（第２の投影面画像）を得る（ステップＳ３０４）。
【００３６】
なお、台形補正後の投影面画像４３０において、板書（板書画像）４３１は板書（板書画像）４２１と比べると台形補正によって変形している。
【００３７】
続いて、ＣＰＵ１０６の制御下で、台形補正部１０９は、投影画像管理部１０４によって管理される入力画像を、基準画像における投影画像４１２と同一の形状になるように台形補正する（ステップＳ３０５）。ここで、図４に示す入力画像４４０が投影画像管理部１０４によって管理されているものとすると、台形補正部１０９は入力画像４４０を投影画像４１２と同一の形状（その台形状）とするので、入力画像４４０は、図４に示す補正後入力画像４５０に台形補正されることになる。
【００３８】
次に、ＣＰＵ１０６の制御下で、画像処理部１１０は投影面画像４３０（第２の投影面画像）と補正後入力画像４５０とを合成して、合成画像４６０とする（ステップＳ３０６）。この合成画像４６０は外部通信部１０５によって、例えば、ＰＣに送られる。そして、画像処理部１１０は画像合成処理を終了する。
【００３９】
合成画像４６０において、板書４６１は板書４３１と同一であり、投影画像４６２は補正後の入力画像４５０と同一である。画像合成を行う際には、画像処理部１１０は投影面画像４３０（第２の投影面画像）のうち白色の部分を透過色とする画像処理を行う。さらに、画像処理部１１０は補正後の入力画像４５０の上に投影面画像４３０が重なるようにレイヤー合成を行って、合成画像４６０を得る。
【００４０】
上述のようにして得られた合成画像４６０においては、投影画像４０２に対応する投影画像４６２が投影画像管理部１０４で管理される入力画像４４０から生成されるので、撮影画像４０３と比べてコントラストがはっきりする。さらに、撮影画像４０３においてはプロジェクタ装置１００からの投影光がホワイトボード領域に反射して写り込むことがあるが、合成画像４６０においてはこのような写り込みは生じない。
【００４１】
また、合成画像４６０においては、撮影画像４０３に含まれるホワイトボード領域以外の周辺の不要な部分が存在せず、しかも長方形状のホワイトボード領域（つまり、正面から見たホワイトボード領域）が得られることになる。
【００４２】
ここで、図２に示す台形補正部１０９で行われる台形補正について説明する。
【００４３】
図５は、図２に示す台形補正部１０９で行われる台形補正を説明するための図である。
【００４４】
台形補正を行う際には、射影変換（写像変換ともいう）が用いられる。いま、図形（四角形）５０１を図形（長方形）５０２に補正するとする。図形５０１の頂点Ａの座標を（Ｘ，Ｙ）とし、図形５０２の頂点Ａ’の座標を（ｘ，ｙ）とすると、頂点Ａは次の式（１）および式（２）によって頂点Ａ’に射影変換される。
【００４５】
ｘ＝（Ａ１×Ｘ＋Ｂ１×Ｙ＋Ｃ１）／（Ａ３×Ｘ＋Ｂ３×Ｙ＋１）      （１）
ｙ＝（Ａ２×Ｘ＋Ｂ２×Ｙ＋Ｃ２）／（Ａ３×Ｘ＋Ｂ３×Ｙ＋１）      （２）
そして、式（１）および式（２）には８つのパラメタＡ１、Ａ２、Ｂ１、Ｂ２、Ｃ１、Ｃ２、Ａ３、およびＢ３があるので、頂点Ａ〜Ｄおよび頂点Ａ’〜Ｄ’の座標について連立方程式を生成して、この連立方程式を解けば、図形５０１を図形５０２に補正することができる。この射影変換を用いれば、台形を含むいかなる四角形も長方形に補正することができる。
【００４６】
上述のように、図２に示すプロジェクタ装置１００では、外部装置から送られた入力画像に応じた投影画像をホワイトボード領域に投影して１回目の撮影を行って、ホワイトボード領域（投影面）の台形補正を行う。続いて、投影画像の投影を停止して、２回目の撮影を行ってホワイトボード領域の台形補正を行う。そして、上記の入力画像を１回目の撮影で得られた撮影画像における投影画像と同一の形状に補正した後、この補正後の投影画像と２回目の撮影によるホワイトボード領域（投影面）とを合成して合成画像とする。これによって、プロジェクタ装置１００とホワイトボードとの位置関係に拘わらず、画質を良好にして画像合成を行うことができる。
【００４７】
ところで、撮影画像４３０に存在する板書４３１はカメラ部１０３による撮影の結果得られたものである。このため、会議室などの部屋が薄暗い場合などにおいては、ホワイトボード領域と板書文字とのコントラストなどがはっきりしない場合がある。そこで、合成画像４６０を生成する際、画像処理部１１０は板書４３１についてそのコントラストを上げるなどの画像処理を施して板書４６１とする。
【００４８】
このように板書のコントラストを上げるなどの画像処理を行えば、合成画像４６０において板書文字４６１の色をはっきりさせることができ、合成画像４６０の画質が向上する。
【００４９】
さらに、合成画像４６０において投影画像４６２と板書４６１とが重なると、投影画像４６２および板書４６１が見づらくなることがある。つまり、投影画像４６２は投影画像管理部１０４で管理される入力画像４４０から生成されるので、入力画像４４０に黒色などがあると板書４６１と投影画像４６２とが重なると見づらいことがある。
【００５０】
そこで、ここでは、画像処理部１１０は板書４３１について板書文字の輪郭に白色の縁取りを行う。例えば、画像処理部１１０はホワイトボード領域の白色部分を透明色にして、板書部分の色を不透明色とする。そして、画像処理部１１０は透明色と不透明色との境界に白色の画素を配置する。その後、画像処理部１１０は補正後の入力画像４５０の上に縁取り処理を行った投影面画像４３０を合成して、板書文字に縁取りがなされた合成画像４６０を生成する。
【００５１】
以上のように、本発明の実施の形態では、プロジェクタ装置とホワイトボードとの位置関係に煩わされることなく、常に画質が良好な合成画像を得ることができる。
【００５２】
上述の説明から明らかなように、図２に示す例においては、ＣＰＵ１０６およびカメラ部１０３が第１の撮影手段および第２の撮影手段として機能し、ＣＰＵ１０６および画像処理部１１０が切り出し手段および画像合成手段として機能する。また、ＣＰＵ１０６および台形補正部１０９は形状補正手段として機能する。
【００５３】
さらに、ＣＰＵ１０６および画像処理部１１０はコントラスト調整手段および縁取り手段として機能する。そして、ＣＰＵ１０６および映像投影部１０２は投影手段として機能する。
【００５４】
以上、本発明について実施の形態に基づいて説明したが、本発明は、これらの実施の形態に限定されるものではなく、この発明の要旨を逸脱しない範囲の様々な形態も本発明に含まれる。
【００５５】
例えば、上記の実施の形態の機能を制御方法として、この制御方法をプロジェクタ装置に実行させるようにすればよい。また、上述の実施の形態の機能を有するプログラムを制御プログラムとして、当該制御プログラムをプロジェクタ装置が備えるコンピュータに実行させるようにしてもよい。なお、制御プログラムは、例えば、コンピュータに読み取り可能な記録媒体に記録される。
【００５６】
上記の制御方法および制御プログラムの各々は、少なくとも第１の撮影ステップ、第２の撮影ステップ、切り出しステップ、形状補正ステップ、および画像合成ステップを有している。
【００５７】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００５８】
１０１  操作部
１０２  映像投影部
１０３  カメラ部
１０４  投影画像管理部
１０５  外部通信部
１０６  演算部（ＣＰＵ）
１０７  １次記憶メモリ（ＲＡＭ）
１０８  記憶メモリ（ＲＯＭ）
１０９  台形補正部
１１０  画像処理部
【図１】
2014163979.tif 000003
【図２】
2014163979.tif 000004
【図３】
2014163979.tif 000005
【図４】
2014163979.tif 000006
【図５】
2014163979.tif 000007